(57)【要約】【課題】  フォークリフト用給電装置において、見栄えの悪化、およびコストアップすることなく、フォークリフトの本体部に対して移動可能な昇降体に配置された機器の給電制御を容易にする。【解決手段】  フォークリフト１に備えられた給電装置５は、本体部２に配置されたバッテリ４３から、発光装置４７および受光装置４２（太陽電池パネル４２Ａ）を介して、昇降体３に配置されたレーザポインタ４１に電力を無線で供給すると共に、本体部２に配置された光量制御装置５３により、バッテリ４３から発光装置４７への給電を制御する。従って、レーザポインタ４１を作動するための電力を無線により供給することができると共に、リモコン等の装置や、長い配線を使用することがないので、コストアップすることなく、容易にレーザポインタ４１の給電を制御することができる。【選択図】  図５
2005067842.tif 000002
【特許請求の範囲】
【請求項１】
フォークリフトの本体部に配置された電源部から、前記本体部に対して昇降可能な昇降体に配置された制御対象に電力を無線で供給するために、それぞれ前記本体部および前記昇降体に配置された送信手段および受信手段と、
前記本体部に配置され、前記電源部から前記送信手段への給電を制御する給電制御手段と、
を備え、
前記制御対象は、前記受信手段から給電されること
を特徴とするフォークリフト用給電装置。
【請求項２】
前記送信手段は、電磁波を送信すると共に、
前記受信手段は、前記送信手段により送信された電磁波を受信し、該電磁波を電力に変換すること
を特徴とする請求項１に記載のフォークリフト用給電装置。
【請求項３】
前記送信手段から前記受信手段まで、前記電磁波を誘導するための電磁波誘導手段を備えたことを特徴とする請求項２に記載のフォークリフト用給電装置。
【請求項４】
前記昇降体は、前記本体部に対して直線的に移動する構成であって、
前記電磁波誘導手段は、前記送信手段から送信される電磁波を、前記昇降体の昇降方向に対して平行な方向に誘導すること
を特徴とする請求項３に記載のフォークリフト用給電装置。
【請求項５】
前記電磁波誘導手段は、レンズにより構成されていることを特徴とする請求項４に記載のフォークリフト用給電装置。
【請求項６】
前記送信手段は、光を発生させるよう構成されていると共に、
前記受信手段は、前記光により発電可能な光電変換手段により構成されていること
を特徴とする請求項２〜請求項５の何れかに記載のフォークリフト用給電装置。
【請求項７】
前記光電変換手段には、前記送信手段からの光以外の光を遮断するための遮光部材が備えられていることを特徴とする請求項６に記載のフォークリフト用給電装置。
【請求項８】
前記給電制御手段は、前記受信手段から前記制御対象に供給される電力量が一定になるように、前記送信手段と前記受信手段との距離に応じて、前記送信手段に供給される電力量を制御することを特徴とする請求項１〜請求項７の何れかに記載のフォークリフト用給電装置。
【発明の詳細な説明】
【技術分野】
【０００１】
本発明は、フォークリフトの本体部から、昇降体に備えられた制御対象に電力を供給するフォークリフト用給電装置に関する。
【背景技術】
【０００２】
従来より、フォークリフトにおいて、フォークが備えられた昇降体に配置されたレーザポインタ等の電気機器に電力を供給するためのフォークリフト用給電装置が知られている（例えば、特許文献１参照）。
【０００３】
このフォークリフト用給電装置では、前述の昇降体に、蓄電池と太陽電池パネルとを備えており、通常時は、太陽電池パネルにより発電しながら、蓄電池に蓄えられた電力によりレーザポインタを動作させる。また、太陽電池パネルによる発電量、および蓄電池に蓄えられた電力量が乏しくなると、フォークリフトに備えられた前照灯を太陽電池パネルに照射させ、太陽電池パネルによる発電量を補うようにしている。
【０００４】
そして、このレーザポインタは、フォークリフトに備えられたフォークを積荷の下側に挿通する際の位置決めのために使用されるものであって、節電のため、および無用にレーザを照射しないために、位置決めするとき以外はレーザポインタを作動させないようにしている。つまり、蓄電池とレーザポインタの間にはスイッチが設けられており、レーザポインタのＯＮ・ＯＦＦを切り替えることができるようにしている。
【特許文献１】特開２００１−１３９２９８号公報
【発明の開示】
【発明が解決しようとする課題】
【０００５】
しかしながら、上記フォークリフト用給電装置において、レーザポインタのＯＮ・ＯＦＦの切り替え操作をするためのスイッチを昇降体に備えるよう構成すれば、昇降体の内部のみでレーザポインタを作動するための回路を形成することができるので、フォークリフトの本体部にスイッチを備える場合に対して、配線の引き回しは短くて済むが、フォークリフトの本体部に備えられた運転席からは、スイッチの操作がし難いという問題点があった。
【０００６】
また、運転席にレーザポインタのスイッチを備えるように構成すれば、昇降体にスイッチを備えている場合に対して、スイッチの切り替え操作は容易になるものの、スイッチから、レーザポインタおよび蓄電池までの配線は、昇降体の可動範囲を考慮して設定する必要があるため、長い配線が必要となり、コストアップになると共に、見栄えが悪くなるという問題点があった。
【０００７】
また、昇降体から本体部に引き回される長い配線を無くすためには、例えば、赤外線方式のリモコン等を用いることも考慮できるが、余計な装置が必要となるのでコストアップになってしまう。
【０００８】
そこで、このような問題点を鑑み、フォークリフト用給電装置において、見栄えの悪化、およびコストアップすることなく、フォークリフトの本体部に対して移動可能な昇降体に配置された機器の給電制御を容易にすることを本発明の目的とする。
【課題を解決するための手段】
【０００９】
かかる目的を達成するために成された、請求項１に記載のフォークリフト用給電装置は、フォークリフトの本体部に配置された電源部から、本体部に配置された送信手段および本体部に対して昇降可能な昇降体に配置された受信手段を介して、昇降体に配置された制御対象に電力を無線で供給するよう構成すると共に、本体部に配置された給電制御手段により、電源部から送信手段への給電を制御するよう構成している。
【００１０】
つまり、本体部からの昇降体に無線により給電する構成であっても、昇降体に制御対象への給電を制御する給電制御手段を備えている場合、オペレータが運転席にて給電制御手段を操作しようとすると、昇降体の可動範囲を考慮して配線長が設定された長い配線を引き回すか、この配線を無くすためのリモコン等の装置を設けるか、何れかの手段が考えられるが、何れの手段であってもコストアップになるため、本発明では、本体部に配置された給電制御手段により、電源部から送信手段への給電を制御するよう構成しているのである。
【００１１】
従って、このようなフォークリフト用給電装置（請求項１）であれば、制御対象を作動するための電力を無線により供給することができると共に、リモコン等の装置や、長い配線を使用することがないので、コストアップすることなく、容易に制御対象の給電を制御することができる。
【００１２】
尚、本発明において、受信手段および制御対象は、同一部材（単独の昇降体）に配置されている必要はなく、例えば、段階的に昇降する複数の昇降体を備えている場合には、異なる昇降体に受信手段および制御対象が配置されていてもよい。
【００１３】
ところで、送信手段から受信手段まで無線により電力を搬送する方式としては、例えば、周囲の磁束を変化させ（送信手段）、その磁束の変化をコイルにより受信し（受信手段）、電力を誘起する電磁誘導方式や、電源部からの電力によりファンを回転させて風を送り（送信手段）、その風により発電機能を有する別のファンを回転させて（受信手段）電力を発生させる風力発電方式等を用いることが考えられる。
【００１４】
しかしながら、電磁誘導方式であれば、周囲の磁界が乱され、計器類に悪影響を及ぼす虞がある。また、風力発電方式であれば、風によりオペレータによる操作に支障が出る虞がある。
【００１５】
そこで、請求項２に記載のように、送信手段は、電磁波を送信すると共に、受信手段は、送信手段により送信された電磁波を受信し、この電磁波を電力に変換することが好ましい。
【００１６】
このようなフォークリフト用給電装置（請求項２）であれば、計器類に悪影響を与えたり、オペレータによる操作に支障を及ぼしたりすることなく、制御対象に電力を供給することができる。
【００１７】
また、請求項２に記載のフォークリフト用給電装置において、請求項３に記載のように、送信手段から受信手段まで、電磁波を誘導するための電磁波誘導手段を備えていることが好ましい。
【００１８】
つまり、例えば、送信手段と受信手段との位置関係の都合により、電磁波の伝送効率が悪い場合や、電磁波の性質上、拡散しやすい電磁波を使用するような場合には、受信手段に十分な電磁波を到達させることができずに、制御対象に十分な電力を供給できなくなる虞があるため、本発明（請求項３）では、電磁波誘導手段を用いて電磁波を所望の方向に誘導するよう構成しているのである。
【００１９】
このようなフォークリフト用給電装置（請求項３）であれば、送信手段と受信手段との位置関係や、電磁波の性質にかかわらず、電磁波を送信手段から受信手段に効率的に伝送することができる。
【００２０】
ところで、請求項３に記載のフォークリフト用給電装置において、送信手段と受信手段との位置関係（距離）が変化した場合であっても、制御手段に供給される電力が極力変化しないように電磁波を送信手段から受信手段に伝送するには、例えば、電磁波誘導手段は、受信手段の位置に応じて受信手段を追尾するよう電磁波の方向を誘導すればよいが、構成が複雑になりコストアップになってしまう。
【００２１】
そこで、構成を簡単にして、送信手段と受信手段との位置関係が変化した場合であっても、制御手段に供給される電力が変化し難いようにするには、請求項４に記載のように、昇降体は、本体部に対して直線的に移動する構成であって、電磁波誘導手段は、送信手段から送信される電磁波を、昇降体の昇降方向に対して平行な方向に誘導することが好ましい。
【００２２】
従って、このようなフォークリフト用給電装置（請求項４）であれば、本体部（受信手段）と昇降体（受信手段）との距離が変化しても、電圧の変化を抑制することができ、延いては、制御対象を安定して作動させることができる。
【００２３】
また、請求項４に記載のフォークリフト用給電装置において、送信手段から受信手段への電磁波の誘導を具体的に実現するには、例えば、電磁力等により電磁波を誘導することが考えられるが、請求項５に記載のように、電磁波誘導手段はレンズにより構成されており、このレンズにて電磁波を屈折させて誘導することが好ましい。
【００２４】
つまり、誘導する電磁波が光の場合には、電磁波誘導手段に光学レンズを用いて光を屈折させればよいし、誘導する電磁波が電波の場合には、電磁波誘導手段に電波レンズを用いて電波を屈折させればよい。
【００２５】
このようなフォークリフト用給電装置（請求項５）であれば、確実に電磁波に指向性を与えることができる。
次に、請求項２〜請求項５の何れかに記載のフォークリフト用給電装置において、送信手段から送信される電磁波は、例えば、マイクロ波であって、受信手段は、送信手段により送信されたマイクロ波を受信するよう構成してもよいが、請求項６に記載のように、送信手段は、光を発生させるよう構成されていると共に、受信手段は、この光により発電可能な光電変換手段により構成されていていることが好ましい。
【００２６】
つまり、例えば、マイクロ波を送受信するよう構成すると、高周波回路やアンテナ等が必要となるため、本発明（請求項６）では、光を送受信するよう構成しているのである。
このようなフォークリフト用給電装置（請求項６）であれば、高周波回路やアンテナ等は必要でなく、ランプや発光ダイオード等からなる送信手段、およびフォトダイオードや太陽電池パネル等からなる受信手段（光電変換手段）のみの構成とすることができるため、送信手段および受信手段の構成を簡単にすることができる。
【００２７】
また、一般的に、ファンの回転による発電、高周波による発電では得られる電気は、交
流であるため、レーザポインタのような直流電気で作動する電気機器で使用する場合、整流回路、および平滑回路が必要になる。これに対して、太陽電池パネルのような光電変換であれば、直接直流電気が得られるので、部品点数も少なく、構成も簡素化でき、コストダウンと共に信頼性の高いシステムが構築できる。
【００２８】
更に、請求項６に記載のフォークリフト用給電装置において、請求項７に記載のように、光電変換手段には、前記送信手段からの光以外の光を遮断するための遮光部材が備えられていることが望ましい。
【００２９】
ここで、遮光部材の具体的な構成としては、例えば、光電変換手段の周囲を覆い、送信手段からの光を受光し易くするための遮光壁や、特定の波長のみを透過するフィルタ等が考えられる。
【００３０】
このようなフォークリフト用給電装置（請求項７）であれば、送信手段から送信される光以外の光が太陽電池パネルに照射され難くすることができるので、制御対象がオペレータの意図に反して作動することを防止することができる。
【００３１】
また、一般的に、送信手段と受信手段との距離が増加すると、エネルギ（請求項２〜請求項７の何れかに記載のフォークリフト用給電装置では電磁波）の伝送効率が低下し、受信手段から制御対象に供給される電力量は低下する傾向があるため、請求項８に記載のように、給電制御手段は、受信手段から制御対象に供給される電力量が一定になるように、送信手段と受信手段との距離に応じて、送信手段に供給される電力量を制御することが好ましい。
【００３２】
このようなフォークリフト用給電装置（請求項８）であれば、送信手段と受信手段との距離にかかわらず、制御対象に安定した電力を供給することができる。
【発明を実施するための最良の形態】
【００３３】
以下に本発明にかかる実施の形態を図面と共に説明する。
【実施例１】
【００３４】
先ず、本発明のフォークリフト用給電装置が搭載されたフォークリフト１について、図１を用いて説明する。図１はフォーク１１が備えられた昇降体３を降ろした状態のフォークリフト１を示す側面図（Ａ）および上面図（Ｂ）である。
【００３５】
図１に示すフォークリフト１は、オペレータが乗り込み、着座するための運転席１５を有する本体部２と、本体部２の前方に配置されたマスト１４を介して昇降可能に配置された昇降体３と、を備えたカウンタ式フォークリフトである。
【００３６】
運転席１５の前方には、フォークリフト１が走行中に操舵するためのステアリング１６と、オペレータが昇降体３を昇降させる操作を行うためのレバー１７と、後述するレーザポインタ４１（本発明でいう制御対象）や前照灯１８等のＯＮ・ＯＦＦを切り替えるためのスイッチ４６（図２参照、本発明でいう給電制御手段）とを備えている。レバー１７は、運転席１５の右側の、オペレータの手が届き易い位置に設置されている。
【００３７】
また、運転席１５の真下には、繰り返し充電可能なバッテリ４３（本発明でいう電源部）が収納されている。このバッテリ４３は、フォークリフト１を駆動するための駆動モータ（図示省略）を含め、フォークリフト１に備えられた全ての機器を作動するための電力を供給するためのものであり、後述する発光装置４７（本発明でいう送信手段）および受光装置４２（本発明でいう受信手段）を介して、レーザポインタ４１にも電力を供給する。従って、昇降体３にはバッテリ４３は備えられていない。
【００３８】
そして、本体部２の前後には、左右各１個の前輪１２と後輪１３とを備えている。前輪１２は遊輪であり、後輪１３は駆動輪である。また、後輪１３は、フォークリフト１を駆動すると共に、オペレータによるステアリング１６の操作に連動してフォークリフト１を操舵するための操舵輪でもある。
【００３９】
また、マスト１４の下端付近に接続された底板１４Ａには、後述する発光装置４７を備え、発光装置４７の真上であって、マスト１４のうち、昇降体３と連動して移動する部位には、後述する受光装置４２を備えている。
【００４０】
そして、昇降体３には、積荷の下側に挿通し、積荷を載置するためのフォーク１１と、フォーク１１を積荷の下側に挿通する際の、位置決めに使用するレーザポインタ４１とを備えている。
【００４１】
次に、レーザポインタ４１に給電するための給電装置４について図２（Ａ）を用いて説明する。図２（Ａ）は、給電装置４および昇降駆動系の概略を示すブロック図である。
図２（Ａ）に示すように、レーザポインタ４１は、太陽電池パネル４２Ａ（本発明でいう光電変換手段）を備えた受光装置４２に配線により電気的に接続されており、本体部２に備えられたバッテリ４３からスイッチ４６を介して給電され発光する発光装置４７は、受光装置４２に向けて光を照射する。そして、その光を受光装置４２の太陽電池パネル４２Ａが受けることにより、太陽電池パネル４２Ａは電力を発生し、その電力をレーザポインタ４１に供給する。
【００４２】
また、バッテリ４３は、オペレータの操作に基づき、昇降体３の昇降動作を制御するための昇降制御装置４４にも給電している。また、昇降制御装置４４は、例えば、モータ駆動式の油圧ポンプ４５に駆動パルスを与えることにより、油圧ポンプ４５を駆動するよう構成されている。
【００４３】
ここで、太陽電池パネル４２Ａには、照射される光の波長により発電効率が異なる特性を備えており、太陽電池パネル４２Ａの材質によりその特性は異なるが、本実施形態では、波長が６００〜９００ｎｍの光を照射した際に最も効率よく発電可能な太陽電池パネル４２Ａを使用している。
【００４４】
次に、発光装置４７の詳細について図２（Ｂ）を用いて説明する。図２（Ｂ）は発光装置４７を示す断面図である。
発光装置４７は略円柱状の形状である。そして、発光装置４７は、図２（Ｂ）に示すように、発光装置４７の底部中央に配置されたランプ６１と、ランプ６１の周囲を取り囲むように配置され、ランプ６１からの光を所望の方向に反射させるための反射板６２と、反射板６２により形成された内部空間に蓋をする位置に配置されたレンズ６３（本発明でいう電磁波誘導手段）とを備えている。
【００４５】
尚、ランプ６１は、例えば、ハロゲンランプを使用している。このハロゲンランプであれば、波長が７００〜１０００ｎｍの光を多く照射する特性を有しているので、例えば、波長が５５０〜６５０ｎｍの光を多く照射する特性を有する高圧ナトリウムランプ等をランプ６１に使用する場合に対して、太陽電池パネル４２Ａにて、効率的に発電させることができる。
【００４６】
また、このランプ６１は、配線６４を介して運転席１５の前方に配置されたスイッチ４６に接続されており、このスイッチ４６がオペレータにより操作されると、その操作に応じて、ランプ６１のＯＮ・ＯＦＦが切り替えられるよう構成されている。
【００４７】
また、レンズ６３は、例えば、ガラス製の非球面レンズから成り、ランプ６１からの直接光および反射板６２にて反射された反射光は、レンズ６３を透過することにより、指向性が与えられ、平行光線を形成するよう設定されている。
【００４８】
次に、受光装置４２について、図３を用いて説明する。図３は、受光装置４２を示す斜視図（Ａ）、および底面図（Ｂ）である。
図３（Ａ）および（Ｂ）に示すように、受光装置４２は上面が閉ざされた円筒形であって、下側が開口している。この受光装置４２の内部における上面には、太陽電池パネル４２Ａが配置されている。また、受光装置４２の側面は、遮光壁４２Ｂとして機能しており、受光装置４２の開口部分を下側に向けることにより、太陽光や照明等の光が太陽電池パネル４２Ａに照射され難くしている。その一方で、真下から照射される光については、遮光されることなく太陽電池パネル４２Ａに照射される。
【００４９】
ところで、図１に示す状態からフォーク１１が備えられた昇降体３を上方向に移動させると、図４に示す状態になる。この際、発光装置４７と受光装置４２とは、昇降体３が上方向に移動した分だけ離れて位置する。しかし、発光装置４７から発せられる光は、レンズ６３を透過させているので平行光線にされており、昇降体３は、その平行光線と平行に移動するため、太陽電池パネル４２Ａには、太陽電池パネル４２Ａがレーザポインタ４１を作動させるのに十分な電力を発生させるだけの光量が確保される。
【００５０】
以上のように詳述した給電装置４においては、フォークリフト１の本体部２に配置されたバッテリ４３から、本体部２に配置された発光装置４７および本体部２に対して昇降可能な昇降体３に配置された受光装置４２を介して、昇降体３に配置されたレーザポインタ４１に電力を無線で供給するよう構成すると共に、本体部２に配置されたスイッチ４６により、バッテリ４３から発光装置４７への給電を制御するよう構成している。
【００５１】
従って、レーザポインタ４１を作動するための電力を無線により供給することができると共に、リモコン等の装置や、長い配線を使用することがないので、コストアップすることなく、容易にレーザポインタ４１の給電を制御することができる。
【００５２】
また、発光装置４７は、光を送信すると共に、受光装置４２は、発光装置４７により送信された光を受信し、この光を太陽電池パネル４２Ａにより電力に変換するよう構成しているので、計器類に悪影響を与えたり、オペレータによる操作に支障を及ぼしたりすることなく、レーザポインタ４１に電力を供給することができる。また、このような構成であれば、光の代わりにマイクロ波を使用する場合等と比べ、高周波回路やアンテナ等が必要ないので、発光装置４７および受光装置４２の構成を簡単にすることができる。
【００５３】
更に、給電装置４には、発光装置４７から受光装置４２まで、電磁波を誘導するためのレンズ６３を備えているので、光を発光装置４７から受光装置４２に効率的に伝送することができる。また、このレンズ６３に光を透過させるよう構成しているので、確実に光に指向性を与えることができる。
【００５４】
加えて、昇降体３は、マスト１４に沿って、本体部２に対して直線的に昇降する構成であって、レンズ６３は、発光装置４７から送信される光を、昇降体３の昇降方向に対して平行な方向に誘導すると共に、受光装置４２は、昇降体３において、光を受信可能な位置に配置されているので、本体部２（受光装置４２）と昇降体３（受光装置４２）との距離が変化しても、太陽電池パネル４２Ａにより発電される電力の変化を抑制することができ、延いては、レーザポインタ４１を安定して作動させることができる。
【００５５】
また、太陽電池パネル４２Ａには、前記発光装置４７からの光以外の光を遮断するための遮光壁４２Ｂが備えられているので、この遮光壁４２Ｂにより、発光装置４７から送信される光以外の光が太陽電池パネル４２Ａに照射され難くすることができるので、レーザポインタ４１がオペレータの意図に反して作動することを防止することができる。
【００５６】
尚、本実施例（実施例１）において、受光装置４２およびレーザポインタ４１は、共に昇降体３に配置されるよう構成したが、特に、このように構成する必要はなく、例えば、昇降体３が、段階的に昇降するよう構成されている場合には、昇降体３と連動して昇降するマスト１４に受光装置４２を配置し、昇降体３にレーザポインタ４１を配置してもよい。
【００５７】
また、本実施例（実施例１）では、発光装置４７から受光装置４２まで無線により電力を搬送する方式として、光を使用したが、特に、このように構成する必要はなく、例えば、周囲の磁束を変化させ、その磁束の変化をコイルにより受信し、電力を誘起する電磁誘導方式であってもよいし、バッテリ４３からの電力によりファンを回転させて風を送り、その風により発電機能を有する別のファンを回転させて電力を発生させる風力発電方式であってもよいし、更に、受光装置４２により発生されたマイクロ波を発光装置４７により受信するマイクロ波方式等であってもよい。
【００５８】
更に、本実施例（実施例１）では、昇降体３の移動方向と平行になるように、発光装置４７および受光装置４２を配置し、発光装置４７からの平行光線を一定方向に保つよう構成したが、特に、このように構成する必要はなく、例えば、発光装置４７からの平行光線が通過する位置に光ファイバ等配置して、受光装置４２まで光を誘導するよう構成してもよい。また、受光装置４２の位置に応じて受光装置４２を追尾するよう光の方向を誘導する誘導装置を用いてもよい。
【００５９】
そして、本実施例（実施例１）では、レンズ６３を用いて発光装置４７から光を誘導するよう構成したが、特に、このようにする必要はなく、例えば、テレビのブラウン管のように、電磁力により光を誘導するよう構成してもよい。
【実施例２】
【００６０】
次に、別形態の給電装置５について説明する。本実施例（実施例２）にて説明する給電装置５は、発光装置４７から発せられる光量を制御できるようにした点が、実施例１の給電装置４とは異なるのみであって、その他の構成は実施例１の給電装置４と同様の構成である。従って、本実施例（実施例２）では、本実施例（実施例２）の給電装置５が、実施例１の給電装置４と異なる箇所のみを詳述し、本実施例（実施例２）の給電装置５と実施例１の給電装置４とが同様の箇所については、同一の符号を付して説明を省略する。
【００６１】
先ず、レーザポインタ４１に給電するための給電装置５について図５を用いて説明する。図５は、給電装置５および昇降駆動系の概略を示すブロック図である。
給電装置５には、実施例１の給電装置４におけるスイッチ４６に替わり、光量制御装置５１（本発明でいう給電制御手段）が配設されている。この光量制御装置５１は、バッテリ４３から発光装置４７に供給される電力の電圧を制御する機能を有している。また、この光量制御装置５１を介して発光装置４７に供給される電力をオペレータの操作により遮断するためのスイッチ５３が備えられている。
【００６２】
尚、このスイッチ５３は、実施例１の給電装置４におけるスイッチ４６と同様に、運転席１５（図１参照）の前方に配置されている。
また、光量制御装置５１には、パルスセンサ５２が接続されており、このパルスセンサ５２は、昇降制御装置４４が油圧ポンプ４５のモータを駆動制御するための駆動パルスを検知するためのものである。
【００６３】
光量制御装置５１は、このパルスセンサ５２からの検知に基づいて、昇降体３の位置を演算し、その位置（つまり、発光装置４７と受光装置４２との距離）に基づいて発光装置４７に給電する電圧を制御する。
【００６４】
尚、昇降体３の位置と、その位置に応じて制御される電圧は、予め光量制御装置５１にデータベースとして格納されており、随時、このデータベースにアクセスすることにより、太陽電池パネル４２Ａにより発電される電圧が一定になるように発光装置４７からの発光量を連続的に制御する。
【００６５】
このような給電装置５においては、光量制御装置５１は、受光装置４２からレーザポインタ４１に供給される電圧が一定になるように、発光装置４７と受光装置４２との距離に応じて、発光装置４７に供給される電力量を制御するので、発光装置４７と受光装置４２との距離にかかわらず、レーザポインタ４１に安定した電力を供給することができる。
【００６６】
尚、本実施例（実施例２）の給電装置５において、光量制御装置５１は、昇降体３の位置に応じて、発光装置４７に供給する電圧を連続的に制御したが、特に、このようにする必要はなく、昇降体３の位置に応じて段階的に電圧を制御するよう構成してもよい。
【実施例３】
【００６７】
次に、別形態の給電装置６について説明する。本実施例（実施例３）にて説明する給電装置６は、発光装置４７から発せられる光をＯＮ・ＯＦＦする制御をマグネットセンサ７０により自動制御できるようにした点が、実施例１の給電装置４とは異なるのみであって、その他の構成は実施例１の給電装置４と同様の構成である。従って、本実施例（実施例３）では、本実施例（実施例３）の給電装置６が、実施例１の給電装置４と異なる箇所のみを詳述し、本実施例（実施例３）の給電装置６と実施例１の給電装置４とが同様の箇所については、同一の符号を付して説明を省略する。
【００６８】
先ず、レーザポインタ４１に給電するための給電装置６について図６を用いて説明する。図６は、給電装置６および昇降駆動系の概略を示すブロック図である。
給電装置６には、実施例１の給電装置４におけるスイッチ４６に替わり、マグネットセンサ７０（本発明でいう給電制御手段）が配設されている。
【００６９】
次に、このマグネットセンサ７０について、図７を用いて説明する。図７はマグネットセンサ７０取り付け位置を示す説明図である。
ここで、マグネットセンサ７０を説明するに先立って、先ず、マスト１４の支持構造について説明する。
【００７０】
図７に示すように、マスト１４は、回動支持部７３を回転の中心軸として、本体部２に対して回動可能に支持されている。この支持構造により、マスト１４は、昇降体３に積荷を載せない状態である場合には、地面に対して鉛直にして保持され、昇降部３に積荷を乗せた状態であれば、積荷が落ち難くするために、やや傾けて保持されるよう構成されている。つまり、昇降部３に積荷を載せた状態であれば、例えば、図７の一点鎖線にて示す位置にて保持される。
【００７１】
そして、レーザポインタ４１を使用するのは、昇降部３に積荷を載せようとするときであるため、昇降部３に積荷を載せていないときにはレーザポインタ４１をＯＮし、昇降部３に積荷を載せているときには、レーザポインタ４１をＯＦＦにするように設定している。このため、マスト１４の傾きを検知可能に配置している。
【００７２】
図７に示すように、マグネットセンサ７０は、スイッチとして機能する検出部７１と被検出部７２とにより構成されており、被検出部７２が検出部７１により検出されているときのみに、検出部７１のスイッチがＯＮされる。
【００７３】
検出部７１は、マスト１４の回動による影響を受けない、回動支持部７３よりも本体部２側の部材に配置されている。また、被検出部７２は、マスト１４に配置されており、マスト１４の回動と共に移動する。
【００７４】
被検出部７２は、昇降部３に積荷を載せていないとき（つまり、実線にて示す位置に被検出部７２が位置しているとき）に検出部７１により検出可能に位置するよう構成されていると共に、昇降部３に積荷を載せているとき（つまり、一点鎖線にて示す位置に被検出部７２が位置しているとき）には、検出部７１により検出できない位置に移動するよう構成されている。
【００７５】
従って、このような給電装置６であれば、実施例１に記載の効果に加えて、オペレータが操作することなく、自動にてレーザポインタ４１のＯＮ・ＯＦＦを制御することができる。
【００７６】
また、昇降体３に積荷を積んでいるときにはレーザポインタ４１を作動しないので、電力を節約することができる。
【図面の簡単な説明】
【００７７】
【図１】フォークが備えられた昇降体を降ろした状態のフォークリフトを示す側面図（Ａ）および上面図（Ｂ）である。
【図２】給電装置および昇降駆動系の概略を示すブロック図（Ａ）、および発光装置を示す断面図（Ｂ）である。
【図３】受光装置を示す斜視図（Ａ）、および底面図（Ｂ）である。
【図４】フォークが備えられた昇降体を上げた状態のフォークリフトを示す側面図（Ａ）および上面図（Ｂ）である。
【図５】実施例２の給電装置および昇降駆動系の概略を示すブロック図である。
【図６】実施例３の給電装置および昇降駆動系の概略を示すブロック図である。
【図７】マグネットセンサ取り付け位置を示す説明図である。
【符号の説明】
【００７８】
１…フォークリフト、２…本体部、３…昇降体、４、５…給電装置、１１…フォーク、１２…前輪、１３…後輪、１４…マスト、１４Ａ…底板、１５…運転席、１６…ステアリング、１７…レバー、４１…レーザポインタ、４２…受光装置、４２Ａ…太陽電池パネル、４２Ｂ…遮光壁、４３…バッテリ、４４…昇降制御装置、４５…油圧ポンプ、４６…スイッチ、４７…発光装置、５１…光量制御装置、５２…パルスセンサ、５３…スイッチ、６１…ランプ、６２…反射板、６３…レンズ、６４…配線、７０…マグネットセンサ、７１…検出部、７２…被検出部。
【図１】
2005067842.tif 000003
【図２】
2005067842.tif 000004
【図３】
2005067842.tif 000005
【図４】
2005067842.tif 000006
【図５】
2005067842.tif 000007
【図６】
2005067842.tif 000008
【図７】
2005067842.tif 000009